【手続補正書】
【提出日】平成17年1月18日(2005.1.18)
【手続補正１】
【補正対象書類名】明細書
【補正対象項目名】請求項２
【補正方法】変更
【補正の内容】
【請求項２】
式ＩＩＩで表わされる誘電的に正の化合物を包含する第三成分（Ｃ）をさらに含有することを特徴とする、請求項１に記載の液晶媒体：
【化３】
2002285160.tif 000001
（式中、
Ｒ３1は、上記式ＩにおいてＲ１について示されている意味を有し、
Ｙ３１およびＹ３２ は、相互に独立して、ＨまたはＦであり、
Ｚ３１およびＺ３２は、それぞれ相互に独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、
【化４】
2002285160.tif 000002
またはそれらの鏡像基であり、
【化５】
2002285160.tif 000003
Ｘ３は、ＦまたはＣｌであるか、またはそれぞれ炭素原子１〜６個を有するハロゲン化アルキル、ハロゲン化アルケニルまたはハロゲン化アルコキシであり、および
ｎは、０または１である）。
【手続補正２】
【補正対象書類名】明細書
【補正対象項目名】請求項３
【補正方法】変更
【補正の内容】
【請求項３】
１種または２種以上の式ＩＶで表わされる化合物を包含する誘電的にニュートラルの成分（Ｄ）をさらに含有することを特徴とする、請求項１または２に記載の液晶媒体：
【化６】
2002285160.tif 000004
（式中、
Ｒ４1およびＲ４２は、それぞれ相互に独立して、上記式ＩにおいてＲ１について示されている意味を有し、
Ｚ４１およびＺ４２は、それぞれ相互に独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、ただし、両方が存在する場合、好ましくはこれらの少なくとも１個は単結合である、
【化７】
2002285160.tif 000005
はそれぞれ、式ＩＩＩにおいて
【化８】
2002285160.tif 000006
について上記した意味を有し、および
ｍは、０、１または２である。
【手続補正３】
【補正対象書類名】明細書
【補正対象項目名】請求項６
【補正方法】変更
【補正の内容】
【請求項６】
成分Ｃが、１種または２種以上の式ＩＩＩ−４、式ＩＩＩ−５および式ＩＩＩ−６の群から選択される化合物を含有することを特徴とする、請求項２に記載の液晶媒体：
【化１１】
2002285160.tif 000007
各式中、Ｒ３１、Ｘ３、Ｙ３１、Ｙ３２およびｎは、請求項２に記載のそれぞれの意味を有する。
【手続補正４】
【補正対象書類名】明細書
【補正対象項目名】００１３
【補正方法】変更
【補正の内容】
【００１３】
好適態様において、本発明による液晶媒体は、式ＩＩＩで表わされる誘電的に正の化合物を包含する誘電的に正の成分（成分Ｃと称する）をさらに含有する：
【化１４】
2002285160.tif 000008
（式中、
Ｒ３1は、上記式ＩにおいてＲ１について示されている意味を有し、
Ｙ３１およびＹ３２ は、相互に独立して、ＨまたはＦであり、
Ｚ３１およびＺ３２は、それぞれ相互に独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、両者が存在する場合は、好ましくはそれらの１つは単結合であり、両者が存在する場合は好ましくはそれらの１つは単結合であり、
【手続補正５】
【補正対象書類名】明細書
【補正対象項目名】００１９
【補正方法】変更
【補正の内容】
【００１９】
【化１９】
2002285160.tif 000009
について上記した意味を有し、および
ｍは、０、１または２である。
【手続補正６】
【補正対象書類名】明細書
【補正対象項目名】００２７
【補正方法】変更
【補正の内容】
【００２７】
式ＩＩＩで表わされる化合物は、下記式ＩＩＩ−１〜ＩＩＩ−１２の群から選択すると好ましい：
【化２４】
2002285160.tif 000010
【手続補正７】
【補正対象書類名】明細書
【補正対象項目名】００２８
【補正方法】変更
【補正の内容】
【００２８】
【化２５】
2002285160.tif 000011
【手続補正８】
【補正対象書類名】明細書
【補正対象項目名】００２９
【補正方法】変更
【補正の内容】
【００２９】
各式中、
Ｒ３１は、上記式ＩＩＩについて示されている意味を有し、
Ｙ３１およびＹ３２は、相互に独立して、ＨまたはＦであり、
Ｘ３は、上記式ＩＩＩについて示されている意味を有し、好ましくはＦ、
ＯＣＦ３またはＯＣＦ２Ｈであり、および
ｎは、０または１である。
この成分Ｃは、成分Ｂ以外に、存在させることができ、好ましくは存在させる。
【手続補正９】
【補正対象書類名】明細書
【補正対象項目名】００３１
【補正方法】変更
【補正の内容】
【００３１】
【化２６】
2002285160.tif 000012
【手続補正１０】
【補正対象書類名】明細書
【補正対象項目名】００３２
【補正方法】変更
【補正の内容】
【００３２】
【化２７】
2002285160.tif 000013
【手続補正１１】
【補正対象書類名】明細書
【補正対象項目名】００３３
【補正方法】変更
【補正の内容】
【００３３】
【化２８】
2002285160.tif 000014
【手続補正１２】
【補正対象書類名】明細書
【補正対象項目名】００３４
【補正方法】変更
【補正の内容】
【００３４】
【化２９】
2002285160.tif 000015
【手続補正１３】
【補正対象書類名】明細書
【補正対象項目名】００３５
【補正方法】変更
【補正の内容】
【００３５】
各式中、パラメーターは、上記式ＩＩＩについて示されている意味を有する。
もう一つの好適態様において、液晶媒体は上記のとおりの式ＩＶで表わされる化合物から、好ましくは主としてなる、最も好ましくは完全になる誘電的にニュートラルの成分（成分Ｄ）を含有する。
式ＩＶで表わされる化合物は好ましくは下記式ＩＶ−１〜ＩＶ−４の群から選択する：
【手続補正１４】
【補正対象書類名】明細書
【補正対象項目名】００３９
【補正方法】変更
【補正の内容】
【００３９】
【化３１】
2002285160.tif 000016
ここでＲ３１は、上記式ＩＩＩ−４で与えられる意味である。
【手続補正１５】
【補正対象書類名】明細書
【補正対象項目名】００４２
【補正方法】変更
【補正の内容】
【００４２】
本発明による液晶媒体の特徴は、８０℃以上、好ましくは９０℃またはそれ以上、特に好ましくは１００℃またはそれ以上、特に１１０℃またはそれ以上の透明点を有することにある。
本発明による液晶媒体の△ｎは、０．１２またはそれ以上、好ましくは０．１３〜０．２５の範囲、さらに好ましくは０．１４〜０．２２の範囲、最も好ましくは０．１４〜０．２０の範囲、特に０．１４５〜０．１７０の範囲にある。
本発明による液晶媒体の誘電異方性（△ε）は、１ｋＨｚおよび２０℃において、好ましくは６またはそれ以上、さらに好ましくは９またはそれ以上、最も好ましくは１０またはそれ以上、特に１２またはそれ以上である。
【手続補正１６】
【補正対象書類名】明細書
【補正対象項目名】００５３
【補正方法】変更
【補正の内容】
【００５３】
表Ａ：
【化３２】
2002285160.tif 000017
【手続補正１７】
【補正対象書類名】明細書
【補正対象項目名】００５４
【補正方法】変更
【補正の内容】
【００５４】
【化３３】
2002285160.tif 000018